(57)【要約】【課題】パリソン全長のばらつきによる成形不良を低減することが可能なパリソン先端シール装置及びそれを備えたブロー成形装置の提供を目的とする。【解決手段】本発明のパリソン先端シール装置３０は、ブロー成形金型１１が型閉じされたときに形成される管状のキャビティ１５の下端開口１５Ｂと、下端開口１５Ｂからキャビティ１５内の空気を吸引する吸引装置５０に接続された吸引口５１との間に形成される吸引路１６Ｂに配置され、吸引路１６Ｂを、下端開口１５Ｂに連通する下端開口連通空間５３と吸引口５１に連通する吸引口連通空間５４とに区画する１対の第１仕切り部３２，３２と、下端開口連通空間５３を、下端開口１５Ｂに連通する連通部屋４３Ａと下端開口１５Ｂから隔離した隔離部屋４３Ｂとに区画する１対の凹部区画壁３５，３５と、を備えている。【選択図】図１
2016078310.tif 000002
【特許請求の範囲】
【請求項１】
ブロー成形金型が型閉じされたときに形成される管状のキャビティの一端側開口と、前記一端側開口から前記キャビティ内の空気を吸引する吸引装置に接続された吸引口と、の間に形成される吸引路に配置されて、前記キャビティの他端側から前記キャビティに供給されたパリソンのうち前記キャビティの前記一端側開口から突出した先端部をシールするパリソン先端シール装置であって、
前記吸引路を横切る方向に接離し、互いに接合したときに、前記吸引路を、前記一端側開口に連通する一端側開口連通空間と前記吸引口に連通する吸引口連通空間とに区画する１対の第１仕切り部と、
前記吸引路を横切る方向に接離し、互いに接合したときに、前記一端側開口連通空間を、前記一端側開口に連通する連通部屋と前記一端側開口から隔離された隔離部屋とに区画する１対の第２仕切り部と、を備えたことを特徴とするパリソン先端シール装置。
【請求項２】
前記吸引路を横切る方向で互いに接離する１対の対向部材を備え、
前記第１仕切り部及び前記第２仕切り部は、前記対向部材に一体形成されたことを特徴とする請求項１に記載のパリソン先端シール装置。
【請求項３】
前記１対の対向部材は、互いに接合した状態で、前記１対の第１仕切り部で囲まれ且つブロー成形品から切り離される捨て代を受容する捨て代受容凹部を前記一端側開口連通空間として形成すると共に、
前記１対の第２仕切り部は、前記捨て代のうち前記１対の第２仕切り部よりも前記吸引口側へ延びたロス部を収容するロス部収容部屋を前記隔離部屋として形成することを特徴とする請求項２に記載のパリソン先端シール装置。
【請求項４】
前記１対の対向部材には、前記ロス部収容部屋を前記吸引路の流路方向に区画する１対の第３仕切り部が１対以上設けられていることを特徴とする請求項３に記載のパリソン先端シール装置。
【請求項５】
前記１対の第１仕切り部及び前記１対の第２仕切り部は、前記ブロー成形金型の型開閉方向と同じ方向に移動し、
前記１対の第２仕切り部のうち一方の第２仕切り部には、前記ブロー成形金型の型開閉方向に対してアンダーカット形状となるアンダーカット部が設けられたことを特徴とする請求項１乃至４のうち何れか１の請求項に記載のパリソン先端シール装置。
【請求項６】
請求項１乃至５のうち何れか１の請求項に記載のパリソン先端シール装置と、
前記ブロー成形金型と、
前記吸引装置と、
前記キャビティの他端側から前記キャビティ内に前記パリソンを供給するパリソン供給装置と、
前記パリソン供給装置と前記ブロー成形金型との間に配置されて、前記キャビティの他端側開口から突出した前記パリソンの基端部をシールするパリソン基端シール装置と、を備えたことを特徴とするブロー成形装置。
【発明の詳細な説明】
【技術分野】
【０００１】
本発明は、型閉じにより形成された管状のキャビティに供給されたパリソンのうち、キャビティの一端側開口から突出した先端部をシールするパリソン先端シール装置およびそれを備えたブロー成形装置に関する。
【背景技術】
【０００２】
従来、この種のブロー成形装置として、キャビティの一端側から吸引装置によってキャビティ内の空気を吸引し、吸引装置に接続された吸引口とキャビティの一端側開口との間の吸引路に配置されたシャッタ部材が、吸引路内を一端側開口側と吸引口側とに区画し、シャッタ部材に備えた喰い切り部でパリソンの先端部をピンチオフするものが知られている（例えば、特許文献１参照）。
【先行技術文献】
【特許文献】
【０００３】
【特許文献１】特開平２−１９０３１８号公報（第３頁右上欄第８行目〜左下欄第８行目、図１及び図２）
【発明の概要】
【発明が解決しようとする課題】
【０００４】
しかしながら、上述した従来のブロー成形装置では、ばらつきによってパリソン全長が短くなると、シャッタ部材の喰い切り部でパリソンをピンチオフすることができなくなり、ブローアップができずに成形不良が生じる、という問題があった。
【０００５】
本発明は、パリソン全長のばらつきによる成形不良を低減することが可能なパリソン先端シール装置及びそれを備えたブロー成形装置の提供を目的とする。
【課題を解決するための手段】
【０００６】
上記目的を達成するためになされた請求項１の発明に係るパリソン先端シール装置は、ブロー成形金型が型閉じされたときに形成される管状のキャビティの一端側開口と、一端側開口からキャビティ内の空気を吸引する吸引装置に接続された吸引口と、の間に形成される吸引路に配置されて、キャビティの他端側からキャビティに供給されたパリソンのうちキャビティの一端側開口から突出した先端部をシールするパリソン先端シール装置であって、吸引路を横切る方向に接離し、互いに接合したときに、吸引路を、一端側開口に連通する一端側開口連通空間と吸引口に連通する吸引口連通空間とに区画する１対の第１仕切り部と、吸引路を横切る方向に接離し、互いに接合したときに、一端側開口連通空間を、一端側開口に連通する連通部屋と一端側開口から隔離された隔離部屋とに区画する１対の第２仕切り部と、を備えたところに特徴を有する。
【０００７】
請求項２の発明は、請求項１に記載のパリソン先端シール装置において、吸引路を横切る方向で互いに接離する１対の対向部材を備え、第１仕切り部及び第２仕切り部は、対向部材に一体形成されたところに特徴を有する。
【０００８】
請求項３の発明は、請求項２に記載のパリソン先端シール装置において、１対の対向部材は、互いに接合した状態で、１対の第１仕切り部で囲まれ且つブロー成形品から切り離される捨て代を受容する捨て代受容凹部を一端側開口連通空間として形成すると共に、１対の第２仕切り部は、捨て代のうち１対の第２仕切り部よりも吸引口側へ延びたロス部を収容するロス部収容部屋を隔離部屋として形成するところに特徴を有する。
【０００９】
請求項４の発明は、請求項３に記載のパリソン先端シール装置において、１対の対向部材には、ロス部収容部屋を吸引路の流路方向に区画する１対の第３仕切り部が１対以上設けられているところに特徴を有する。
【００１０】
請求項５の発明は、請求項１乃至４のうち何れか１の請求項に記載のパリソン先端シール装置において、１対の第１仕切り部及び１対の第２仕切り部は、ブロー成形金型の型開閉方向と同じ方向に移動し、１対の第２仕切り部のうち一方の第２仕切り部には、ブロー成形金型の型開閉方向に対してアンダーカット形状となるアンダーカット部が設けられたところに特徴を有する。
【００１１】
請求項６の発明に係るブロー成形装置は、請求項１乃至５のうち何れか１の請求項に記載のパリソン先端シール装置と、ブロー成形金型と、吸引装置と、キャビティの他端側からキャビティ内にパリソンを供給するパリソン供給装置と、パリソン供給装置とブロー成形金型との間に配置されて、キャビティの他端側開口から突出したパリソンの基端部をシールするパリソン基端シール装置と、を備えたところに特徴を有する。
【発明の効果】
【００１２】
［請求項１，６の発明］
本発明では、キャビティの一端側開口と吸引装置に接続された吸引口との間の吸引路を、一端側開口に連通する一端側開口連通空間と吸引口に連通する吸引口連通空間とに区画する１対の第１仕切り部だけでなく、一端側開口連通空間を、一端側開口に連通する連通部屋と一端側開口から隔離された隔離部屋とに区画する１対の第２仕切り部を備えているので、パリソン全長が短くなって１対の第１仕切り部ではパリソンの先端部をピンチオフできない場合であっても、１対の第２仕切り部によってパリソンの先端部をピンチオフすることが可能となる。このように、本発明によれば、吸引路を一端側開口連通空間と吸引口連通空間とにのみ区画する従来のパリソン先端シール装置と比較して、パリソン全長のばらつきによる成形不良を低減することが可能となる。
【００１３】
［請求項２の発明］
請求項２の発明によれば、第１仕切り部と第２仕切り部の駆動源を共通化して、パリソン先端シール装置のコンパクト化を図ることが可能となる。
【００１４】
［請求項３の発明］
請求項３の発明では、１対の第１仕切り部によって形成される一端側開口連通空間が、ブロー成形品から切り離される捨て代を受容する捨て代受容凹部として形成されている。そして、本発明によれば、１対の第２仕切り部によって捨て代受容凹部に形成される隔離部屋が、捨て代のうち１対の第２仕切り部よりも吸引口側へ延びたロス部を収容するロス部収容部屋となっているので、ロス部が吸引装置に吸い込まれて詰まることを防ぐことが可能となる。
【００１５】
［請求項４の発明］
請求項４の発明によれば、ブロー成形品の捨て代に形成されるロス部を１対の第３仕切り部によって分割することが可能となり、例えば、ロス部を粉砕する等の後処理が容易となる。
【００１６】
［請求項５の発明］
請求項５の発明では、ブロー成形後に型開きする際に１対の第２仕切り部を離間させると、ブロー成形品は、一方の第２仕切り部のアンダーカット部と係合して、一方の第２仕切り部側に引っ張られる。これにより、ブロー成形金型を構成する一方の割型にブロー成形品を寄せることが可能となり、ブロー成形品の取り外しが容易となる。
【図面の簡単な説明】
【００１７】
【図１】本発明の一実施形態に係るブロー成形装置の一部破断側面図
【図２】ブローアップ時におけるブロー成形装置の一部破断側面図
【図３】下シャッタ部材の斜視図
【図４】（Ａ）下シャッタ部材の断面図、（Ｂ）従来の下シャッタ部材の断面図
【図５】（Ａ）捨て代を切り離す前のブロー成形品の斜視図、（Ｂ）捨て代が切り離されたブロー成形品の斜視図、（Ｃ）捨て代を切り離す前のブロー成形品の斜視図
【図６】型開きする前の下シャッタ部材周辺の側断面図
【図７】型開きしたときの下シャッタ部材周辺の側断面図
【図８】変形例に係るブロー成形装置の下シャッタ部材周辺の側断面図
【図９】変形例に係るブロー成形装置の一部破断側面図
【図１０】変形例に係るブロー成形装置の一部破断側面図
【発明を実施するための形態】
【００１８】
以下、本発明の一実施形態を図１〜図７に基づいて説明する。図１に示すように、本実施形態のブロー成形装置１０は、水平方向に移動して互いに接離する第１金型１２と第２金型１３とで構成されるブロー成形金型１１を備えている。ブロー成形金型１１は、型閉じされた状態で、上下方向に延びる管状のキャビティ１５を形成する。
【００１９】
本実施形態では、第１金型１２の成形面のうち上下方向の中間位置に、第２金型１３から離れるように湾曲した湾曲凹部１２Ａが形成されると共に、第２金型１３の成形面に、第１金型１２の湾曲凹部１２Ａに突入するように湾曲した湾曲突部１３Ａが形成されている。そして、キャビティ１５が上下方向の中間部が折れ曲がった略くの字形状になっている。
【００２０】
ブロー成形金型１１の上方には、キャビティ１５の上端開口１５Ａ（本発明の「キャビティの他端側開口」に相当する。）からキャビティ１５内に筒状のパリソン７１を供給するパリソン供給装置７０が備えられている。また、ブロー成形金型１１の下方には、キャビティ１５の下端開口１５Ｂ（本発明の「キャビティの一端側開口」に相当する。）からキャビティ１５内の空気を吸引する吸引装置５０が備えられている。このように、ブロー成形装置１０では、吸引装置５０の吸引によって引き起こされる空気の流れによって、折れ曲がり形状のキャビティ１５にパリソン７１をスムーズに導入するようになっている。なお、本実施形態では、キャビティ１５の下端開口１５Ｂと吸引装置５０に接続された吸引口５１とが同軸上に配置されている。
【００２１】
ブロー成形金型１１とパリソン供給装置７０との間には、そのキャビティ１５の上端開口１５Ａから上方に突出したパリソン７１の基端部をシールするパリソン基端シール装置２０が備えられている。また、ブロー成形金型１１と吸引装置１５との間には、キャビティ１２の下端開口１５Ｂから下方に突出したパリソン７１の先端部をシールするパリソン先端シール装置３０が備えられている。詳細には、キャビティ１５の下端開口１５Ｂと吸引口５１との間には、図示しない包囲壁によって四方が囲まれた吸引路１６が形成されていて、その吸引路１６にパリソン先端シール装置３０が配置されている。
【００２２】
パリソン先端シール装置３０は、１対の下シャッタ部材３１，３１（本発明の「１対の対向部材」に相当する。）を備えている。１対の下シャッタ部材３１，３１は、駆動源３８，３８（例えば、油圧シリンダ）により駆動されて、水平方向で互いに接近、離間する。
【００２３】
１対の下シャッタ部材３１，３１は、それぞれブロック状をなし、互いの対向面３１Ｍ，３１Ｍから突出した１対の当接突壁３１Ｔ，３１Ｔを備えている。そして、図２に示すように、１対の下シャッタ部材３１，３１が互いに接近すると、１対の当接突壁３１Ｔ，３１Ｔが接合し、吸引路１６が、下端開口１５Ｂに連通する下端開口連通空間５３（本発明の「一端側開口連通空間」に相当する。）と、吸引口５１に連通する吸引口連通空間５４とに、区画される。
【００２４】
具体的には、下端開口連通空間５３は、以下のようにして形成される。即ち、図３に示すように、１対の下シャッタ部材３１，３１（図３には、一方の下シャッタ部材３１のみが示されている。）における対向部分の上端部には、半割凹部３３，３３が形成されて、１対の当接突壁３１Ｔ，３１Ｔは、１対の下シャッタ部材３１，３１の互いの対向面３１Ｍ，３１Ｍにおける半割凹部３３，３３の縁部に沿って配置されている。そして、１対の下シャッタ部材３１，３１（当接突壁３１Ｔ，３１Ｔ）が接合したときに、図６に示すように、半割凹部３３，３３同士が結合して、ブロー成形品７５から切り離される捨て代７６（図５参照）を受容する捨て代受容凹部３４が形成される。そして、この捨て代受容凹部３４によって下端開口連通空間５３が構成される。なお、捨て代受容凹部３４は、円柱の下端から半球が突出した形状になっていて、半割凹部３３は、捨て代受容凹部３４をブロー成形金型１１の型開き方向に２分割した形状（即ち、左右に半割りした形状）となっている。
【００２５】
図３及び図６に示すように、１対の下シャッタ部材３１，３１には、半割凹部３３，３３を上下に区画する１対の凹部区画壁３５，３５が設けられている。１対の凹部区画壁３５，３５は、１対の下シャッタ部材３１，３１が接合したときに、互いに接合して捨て代受容凹部３４を上下に区画する（図６参照）。そして、捨て代受容凹部３４のうち１対の仕切り壁３５，３５より上側に、キャビティ１５の下端開口１５Ｂに連通する連通部屋３４Ａが形成され、１対の仕切り壁３５，３５より下側に、下端開口１５Ｂから隔離された隔離部屋３４Ｂが形成される。
【００２６】
また、各下シャッタ部材３１には、半割凹部３３のうち凹部区画壁３５より下側に配置される部分をさらに上下に区画する隔離部屋区画壁３６が設けられている。１対の隔離部屋区画壁３６，３６は、１対の下シャッタ部材３１，３１が接合したときに、互いに接合して隔離部屋３４Ｂを上下に区画する（図６参照）。
【００２７】
なお、本実施形態では、１対の下シャッタ部材３１，３１（詳細には、半割凹部３３，３３を構成する部分）によって、本発明の「１対の第１仕切り部」に相当する仕切り部３２，３２が構成されている。また、本実施形態では、１対の凹部区画壁３５，３５によって本発明の「１対の第２仕切り部」が構成され、隔離部屋区画壁３６，３６によって本発明の「１対の第３仕切り部」が構成されている。
【００２８】
図３及び図６に示すように、第１金型１２側の凹部区画壁３５には、上方に突出した係合突起３５Ｔが備えられている。係合突起３５Ｔは、上方に向かうにつれて第２金型１３側へ近づくように傾斜している。ここで、ブロー成形金型１１（第１金型１２と第２金型１３）の開閉方向は水平になっているので、係合突起３５Ｔはブロー成形金型１１の型開閉方向に対してアンダーカット形状となっている。即ち、本実施形態では、係合突起３５Ｔによって本発明の「アンダーカット部」が構成されている。一方、第２金型１３側の凹部区画壁３５には、係合突起３５Ｔが備えられていない。なお、図１及び図２では、係合突起３５Ｔが省略して示されている。
【００２９】
図１に示すように、パリソン基端シール装置２０は、パリソン先端シール装置３０と同様に、１対の上シャッタ部材２１，２１を備えている。具体的には、１対の上シャッタ部材２１，２１には、互いの対向面２１Ｍ，２１Ｍから突出する１対の当接突壁２２，２２が形成され、それら１対の当接突壁２２，２２が接合することにより、パリソン７１の基端部をシール（ピンチオフ）する（図２参照）。１対の上シャッタ部材２１，２１は、駆動源２８，２８（例えば、油圧シリンダ）により駆動されて、水平方向で互いに接近、離間する。
【００３０】
１対の下シャッタ部材３１，３１と同様に、１対の上シャッタ部材２１，２１は、接合状態でキャビティ１５に連絡する捨て代受容凹部２４（図２参照）を形成する。捨て代受容凹部２４は、各上シャッタ部材２１の下端部に形成された半割凹部２３，２３（図１参照）が結合されることで形成される。上述した１対の当接突壁２２，２２は、１対の上シャッタ部材２１，２１の互いの対向面２１Ｍ，２１Ｍにおける半割凹部２３の縁部に沿って配置されている。なお、捨て代受容凹部２４は、円柱の上端から半球が突出した形状になっていて、半割凹部２３は、捨て代受容凹部２４をブロー成形金型１１の型開き方向に２分割した形状（即ち、左右に半割りした形状）となっている。
【００３１】
ブロー成形装置１０の構成に関する説明は以上である。次に、ブロー成形装置１０によるブロー成形について説明する。ブロー成形装置１０でブロー成形を行うには、まず、ブロー成形金型１１を型閉じしてキャビティ１５を形成すると共に、上シャッタ部材２１，２１及び下シャッタ部材３１，３１を互いに離間した状態にしておく。そして、パリソン供給装置７０によってキャビティ１５の上端開口１５Ａからキャビティ１５内にパリソン７１を供給すると共に、吸引装置５０によってキャビティ１５の下端開口１５Ｂからキャビティ１５内の空気を吸引する（図１参照）。
【００３２】
パリソン７１の先端部（下端部）がキャビティ１５の下端開口１５Ｂから突出したら、パリソン７１の先端部と基端部をシールする。具体的には、上シャッタ部材２１，２１及び下シャッタ部材３１，３１を互いに接近させ、上シャッタ部材２１，２１の当接突壁２２，２２にてパリソン７１の基端部をピンチオフすると共に、下シャッタ部材３１，３１の凹部区画壁３５，３５にてパリソン７１の先端部をピンチオフする。このとき、吸引路１６は、下シャッタ部材３１，３１の仕切り部３２，３２によって下端開口連通空間５３と吸引口連通空間５４とに区画され、下端開口連通空間５３は、凹部区画壁３５，３５によって連通部屋３４Ａと隔離部屋３４Ｂとに区画される（図２参照）。そして、凹部区画壁３５，３５より下方に延びたパリソン７１は、凹部区画壁３５，３５より下側の隔離部屋４３Ｂに収容される。なお、パリソン７１の先端部の下端開口１５Ｂからの突出は、パリソン７１の供給開始からの時間によって判断されてもよいし、光センサ等による検出や覗き窓等を介しての目視により判断されてもよい。
【００３３】
ここで、図４（Ｂ）には、従来のパリソン先端シール装置における下シャッタ部材３が比較として示されている。下シャッタ部材３は、本実施形態の下シャッタ部材３１（図４（Ａ）参照）から凹部区画壁３５及び隔離部屋区画壁３６を除いた構成、即ち、１対の仕切り部３２，３２のみを備えた構成となっている。図４（Ａ）と図４（Ｂ）の比較から明らかなように、従来の下シャッタ部材３では、パリソン７１の長さのばらつきがＬ２までしか許容されないのに対し、本実施形態の下シャッタ部材３１では、パリソン７１の長さのばらつきがＬ１まで許容される。
【００３４】
パリソン７１の先端部と基端部がピンチオフされると、上シャッタ部材２１，２１の間の隙間から図示しないノズルが挿入される。そして、ノズルからパリソン７１の内部にエアが吹き込まれることでブローアップされ、図５（Ａ）に示すブロー成形品７５が得られる。この段階では、ブロー成形品７５は、製品となる製品部７７のほかに、製品とはならない捨て代７６を含んでいる。また、ブローアップされる過程で、第１金型１２の下シャッタ部材３１に備えられた係合突起３５Ｔがパリソン７１に突き刺さり、ブローアップが完了すると、図６に示すように、係合突起３５Ｔがブロー成形品７５の捨て代７６と係合した状態となる。
【００３５】
次いで、ブロー成形金型１１を型開きし、ブロー成形品７５をブロー成形金型１１から取り外す。このとき、第１金型１２と第２金型１３の動きに連動して１対の上シャッタ部材２１，２１及び１対の下シャッタ部材３１，３１も互いに離間される。ブロー成形金型１１が型開きされると、図６から図７への変化に示すように、ブロー成形品７５の捨て代７６が、係合突起３５Ｔとの係合によって第１金型１２側のシャッタ部材３１に引き寄せられる。これにより、型開き時にブロー成形品７５全体を第１金型１２側に引き寄せることが可能となり、ブロー成形品７５の取り外しが容易となる。
【００３６】
ブロー成形金型１１から取り出されたブロー成形品７５を、製品部７７と捨て代７６の境界線７５Ｌに沿って切断することで、捨て代７６が切り離されたブロー成形品７５（製品部７７）が得られる（図５（Ｂ）参照）。なお、図５（Ｃ）には、従来の下シャッタ部材３（図４（Ｂ）参照）を用いてブロー成形した場合におけるブロー成形品７５が、参考として示されている。図５（Ａ）と図５（Ｃ）の比較から、ブロー成形装置１０では、従来のブロー成形装置よりも、パリソン７１がピンチオフされる位置が製品部７７（境界線７５Ｌ）側へ近づいていることが分かる。
【００３７】
ところで、ブロー成形品７５の捨て代７６は、樹脂の再利用を目的として粉砕されることがある。ここで、ブロー成形装置１０では、捨て代受容凹部３４のうち１対の凹部区画壁３５，３５により区画される隔離部屋３４Ｂをさらに上下に区画する隔離部屋区画壁３６，３６を備えているので、パリソン７１が長くなった場合には、パリソン７１は、１対の隔離部屋区画壁３６，３６によってもピンチオフされ、捨て代７６のうち凹部区画壁３５，３５よりも下側に延びた部分が分割される（図６参照）。これにより、捨て代７６のうち凹部区画壁３５，３５より下側（吸引口５１側）へ延びたロス部７６Ｌを粉砕する後処理を容易に行うことが可能となる。なお、捨て代受容凹部３４のうち１対の凹部区画壁３５，３５より下方に配置される部分、即ち、隔離部屋３４Ｂが本発明に係るロス部収容部屋３７となっている。
【００３８】
本実施形態のブロー成形装置１０によるブロー成形に関する説明は以上である。次に、ブロー成形装置１０の作用効果について説明する。
【００３９】
本実施形態のパリソン先端シール装置３０及びブロー成形装置１０では、キャビティ１５の下端開口１５Ｂと吸引装置５０との間の吸引路１６を、下端開口１５Ｂに連通する下端開口連通空間５３と、吸引装置５０に接続された吸引口５１に連通する吸引口連通空間５４とに区画する１対の仕切り部３２，３２だけでなく、下端開口連通空間５３を、下端開口１５Ｂに連通する連通部屋３４Ａと、下端開口１５Ｂから隔離された隔離部屋３４Ｂとに区画する１対の凹部区画壁３５，３５を備えているので、パリソン全長が短くなって１対の仕切り部３２，３２ではパリソン７１の先端部をピンチオフできない場合であっても、１対の凹部区画壁３５，３５によってパリソン７１の先端部をピンチオフすることが可能となる。このように、本実施形態によれば、従来のパリソン先端シール装置のように、吸引路１６を一端側開口連通空間５３と吸引口連通空間５４とに区画する１対の仕切り部３２，３２のみを備えた従来のパリソン先端シール装置と比較して、パリソン全長のばらつきによる成形不良を低減することが可能となる。
【００４０】
また、本実施形態のパリソン先端シール装置３０及びブロー成形装置１０では、第１仕切り部３２と、本発明の「第２仕切り部」に相当する凹部区画壁３５とが下シャッタ部材３１に一体に備えられているので、第１仕切り部３２と凹部区画壁３５の駆動源を共通化して、パリソン先端シール装置３０のコンパクト化を図ることが可能となる。
【００４１】
さらに、本実施形態では、ブロー成形品７５の捨て代７６に凹部区画壁３５，３５より下方へ延びるロス部７６Ｌが発生した場合であっても、隔離部屋４３Ｂがロス部７６Ｌを収容するロス部収容部屋３７となっているので、ロス部７６Ｌが吸引装置に吸い込まれて詰まることが防がれる。しかも、隔離部屋３４Ｂを区画する隔離部屋区画壁３６，３６を備えたので、ロス部７６Ｌを隔離部屋区画壁３６，３６にてピンチオフすることが可能となり、ロス部７６Ｌを粉砕して再利用する場合には、その粉砕処理が容易となる。
【００４２】
［他の実施形態］
本発明は、上記実施形態に限定されるものではなく、例えば、以下に説明するような実施形態も本発明の技術的範囲に含まれ、さらに、下記以外にも要旨を逸脱しない範囲内で種々変更して実施することができる。
【００４３】
（１）上記実施形態において、１対の隔離部屋区画壁３６，３６を複数対備えた構成としてもよいし、全く備えない構成としてもよい。
【００４４】
（２）上記実施形態では、本発明の「アンダーカット部」が、一方の第１区画壁３５から上方に突出する係合突起３５Ｔにより構成されていたが、図８に示すように、一方の第１区画壁３５の接合部分を下方に屈曲させてなるフック部３５Ｆにより構成されてもよい。
【００４５】
（３）上記実施形態では、係合突起３５Ｔを１つだけ備えた構成を例示したが、係合突起３５Ｔを複数備えた構成としてもよい。
【００４６】
（４）図９に示すように、凹部区画壁３５，３５を下シャッタ部材３１，３１に対して相対移動可能に構成して、下シャッタ部材３１，３１の駆動源３８，３８とは別の駆動源６８，６８（例えば、油圧シリンダ）により駆動される構成としてもよい。また、同図の例において、隔離部屋区画壁３６，３６を備えた構成としてもよい。その場合、隔離部屋区画壁３６についても、下シャッタ部材３１に対して相対移動可能に構成されてもよい。なお、上記実施形態では、凹部区画壁３５と第１仕切り部３２の駆動源を共通化して、パリソン先端シール装置３０のコンパクト化を図ることが可能となる。
【００４７】
（５）図１０に示すように、吸引路１６を横切る方向に互いに接離する１対の第１仕切り壁４１，４１及び１対の第２区仕切り壁４２，４２を設けた構成としてもよい。なお、本構成では、１対の第１仕切り壁４１，４１が本発明の「１対の第１仕切り部」に相当し、１対の第２区画壁４２，４２が本発明の「１対の第２仕切り部」に相当する。また、吸引路１６を構成する包囲壁１６Ｈの上側（下端開口１５Ｂ側）部分と第１仕切り壁４１，４１とによって本発明の「捨て代受容凹部」が形成され、包囲壁１６Ｈと第１仕切り壁４１，４１と第２仕切り壁４２，４２とに囲まれる空間によって本発明の「隔離部屋」及び「ロス部収容部屋」が形成される。
【００４８】
（６）上記実施形態では、キャビティ１５の形状が、ブロー成形金型１１の型開き方向に折れ曲がった略くの字形状であったが、直線状やＳ字状であってもよいし、第１金型１２と第２金型１３の境界面に沿って折れ曲がる形状（例えば、くの字形状やＬ字形状）であってもよい。
【符号の説明】
【００４９】
１０    ブロー成形装置
１１    ブロー成形金型
１５    キャビティ
１６    吸引路
３０    パリソン先端シール装置
３１    下シャッタ部材（対向部材）
３２    仕切り部（第１仕切り部）
３４    捨て代受容凹部
３４Ａ    連通空間
３４Ｂ    隔離部屋
３５    凹部区画壁（第２仕切り部）
３６    隔離部屋区画壁（第３仕切り部）
５０    吸引装置
５１    吸引口
５３    下端開口連通空間（一端側開口連通空間）
５４    吸引口連通空間
７０    パリソン供給装置
７１    パリソン
【図１】
2016078310.tif 000003
【図２】
2016078310.tif 000004
【図３】
2016078310.tif 000005
【図４】
2016078310.tif 000006
【図５】
2016078310.tif 000007
【図６】
2016078310.tif 000008
【図７】
2016078310.tif 000009
【図８】
2016078310.tif 000010
【図９】
2016078310.tif 000011
【図１０】
2016078310.tif 000012